(57)【要約】【課題】感光体ドラム上での濃度ムラに対処できる、地紋印刷が可能な画像処理装置を提供する。【解決手段】コントラスト調整ボタンを押し（Ｓ２１）、ユーザがプリンタによる印刷物を見て、たとえば、中央部のコントラストが変であると判断したときは（Ｓ２２で中央）、その位置を調整位置設定部で設定し、その部分の濃度をテキスト地紋閾値設定部４３を用いて変更する（Ｓ２２〜Ｓ２６）。そして、必要に応じてサンプル印字ボタンを押して、コントラスト調整用のキャリブレーションシート５０を印刷する（Ｓ２７）。コントラスト調整用のキャリブレーションシートで確認して背景地紋と潜像地紋のコントラストがＯＫであれば（Ｓ２８でＹＥＳ）、その設定をプリンタ制御部のプリンタドライバに行い（Ｓ２９）、処理を終了する。【選択図】図６
2007267224.tif 000002
【特許請求の範囲】
【請求項１】
背景地紋と、背景地紋内に描画され、複写されることによって、具現化される潜像地紋とを印刷可能な画像処理装置であって、
感光体と、
前記感光体上に、前記背景地紋および前記潜像地紋を含む静電潜像を形成する静電潜像形成手段と、
前記静電潜像形成手段によって形成された静電潜像をシート上に印刷する印刷手段とを含み、
前記静電潜像形成手段は、前記感光体上で、レーザビームを主走査方向に走査することによって、前記静電潜像を形成し、
前記印刷手段によってシート上に印刷された前記背景地紋と前記潜像地紋とのコントラストを、前記主走査方向において調整するコントラスト調整手段とを含む、画像処理装置。
【請求項２】
前記印刷手段は、ユーザの要求に応じて、前記潜像地紋を前記背景地紋上に印刷したキャリブレーションシートを印刷し、
ユーザは、前記キャリブレーションシートを参照して、前記コントラスト調整手段を用いて前記背景地紋と前記潜像地紋とのコントラストを調整する、請求項１に記載の画像処理装置。
【請求項３】
前記感光体は前記主走査方向において、複数の領域に分割され、
前記コントラスト調整手段は、前記分割された複数の領域ごとに前記背景地紋と前記潜像地紋とのコントラストを調整する、請求項１または２に記載の画像処理装置。
【請求項４】
前記コントラスト調整手段は、前記背景地紋の濃度を一定にして、前記潜像地紋の濃度を変更することによって、前記背景地紋と前記潜像地紋とのコントラストを調整する、請求項１から３のいずれかに記載の画像処理装置。
【請求項５】
前記コントラスト調整手段は、前記潜像地紋の濃度を一定にして、前記背景地紋の濃度を変更することによって、前記背景地紋と前記潜像地紋とのコントラストを調整する、請求項１から３のいずれかに記載の画像処理装置。
【請求項６】
印刷手段に接続されたコンピュータを請求項１から５に記載の画像処理装置として機能させるためのコンピュータプログラム。
【請求項７】
請求項６に記載されたプログラムを格納したコンピュータ読取可能記録媒体。
【発明の詳細な説明】
【技術分野】
【０００１】
この発明は、地紋印刷が可能な画像処理装置、プログラムおよびコンピュータ読取可能記録媒体に関し、特に、複写されることによって、具現化される隠し文字地紋を印刷可能な画像処理装置、プログラムおよびコンピュータ読取可能記録媒体に関する。
【背景技術】
【０００２】
従来の地紋パターンを印刷可能な画像処理装置が、たとえば、特開２００５−９４３２７号公報（特許文献１）に開示されている。地紋パターンは、原本（プリンタで出力した印刷物）においては単なる模様などに見えるが、複写すると所定の文字などが浮び上がるようなものであり、複写した者に偽造防止用紙と同様の牽制効果を与えることができる。地紋印刷では、コピーすると消滅する小ドット地紋とコピーしても残る大ドット地紋とを用いている。印刷物をコピーすると、小ドット地紋が消滅、もしくは大ドット地紋との濃度差が生じるため、印刷物と複写物（不正複写物）との区別がつく。
【０００３】
特許文献１によれば、印刷用紙の一方の方向では、潜像部（文字地紋）を構成する印刷濃度のみを変化させ、他方の方向では背景部を構成する背景地紋の濃度のみを変化させ、地紋画像の試し刷りを行なう。そして試し刷りされた地紋画像に基づき、潜像部と背景部の濃度差が等しく、複写後に潜像が現れる地紋画像をユーザに選択させ、選択された地紋画像の印刷濃度に基づき、潜像部と背景部とを含む地紋画像を生成している。
【特許文献１】特開２００５−９４３２７号公報（段落番号００２６等）
【発明の開示】
【発明が解決しようとする課題】
【０００４】
従来の地紋印刷が可能な画像処理装置は上記のように構成され、レーザ光を感光体に照射することによって静電潜像を作成していた。しかしながら、レーザを感光体の中央部から照射したとき、ドラムの中央部迄と両端部迄との光路長の違いなどから、感光体上での濃度再現にムラが生じる場合がある。このムラは、背景濃度と潜像濃度とのコントラストを生じさせることになり、その結果、容易に潜像部が可視化されるという問題が生じる。
【０００５】
この発明は、上記のような問題点に着目してなされたもので、感光体ドラム上での濃度ムラに対処できる、地紋印刷が可能な画像処理装置、プログラムおよびコンピュータ読取可能記録媒体を提供することを目的とする。
【課題を解決するための手段】
【０００６】
この発明に係る、背景地紋と、背景地紋内に描画され、複写されることによって、具現化される潜像地紋とを印刷可能な画像処理装置は、感光体と、感光体上に、背景地紋および潜像地紋を含む静電潜像を形成する静電潜像形成手段と、静電潜像形成手段によって形成された静電潜像をシート上に印刷する印刷手段とを含み、静電潜像形成手段は、感光体上で、レーザビームを主走査方向に走査することによって、静電潜像を形成し、印刷手段によってシート上に印刷された背景地紋と潜像地紋とのコントラストを、主走査方向において調整するコントラスト調整手段とを含む。
【０００７】
好ましくは、印刷手段は、ユーザの要求に応じて、潜像地紋を背景地紋上に印刷したキャリブレーションシートを印刷し、ユーザは、キャリブレーションシートを参照して、コントラスト調整手段を用いて背景地紋と潜像地紋とのコントラストを調整する。
【０００８】
さらに好ましくは、感光体は主走査方向において、複数の領域に分割され、コントラスト調整手段は、分割された複数の領域ごとに背景地紋と潜像地紋とのコントラストを調整する。
【０００９】
コントラスト調整手段は、背景地紋の濃度を一定にして、潜像地紋の濃度を変更することによって、背景地紋と潜像地紋とのコントラストを調整してもよいし、コントラスト調整手段は、潜像地紋の濃度を一定にして、背景地紋の濃度を変更することによって、背景地紋と潜像地紋とのコントラストを調整してもよい。
【００１０】
この発明の他の局面においては、コンピュータプログラムは、印刷手段に接続されたコンピュータを上記した画像処理装置として機能させる。
【００１１】
好ましくは、プログラムは、コンピュータ読取可能記録媒体に格納される。
【発明の効果】
【００１２】
この発明によれば、印刷手段によってシート上に印刷された背景地紋と潜像地紋とのコントラストを、主走査方向において調整できるため、感光体の主走査方向における濃度ムラが存在しても、所望の対処背景地紋と潜像地紋とのコントラストを得ることができる。
【００１３】
その結果、感光体ドラム上での濃度ムラに対処できる、地紋印刷が可能な画像処理装置を提供できる。
【発明を実施するための最良の形態】
【００１４】
以下、この発明の実施の形態を、図面を参照して説明する。図１はこの発明の一実施の形態にかかる画像処理装置を構成する、パーソナルコンピュータ（以下、「コンピュータ」という）１０と、印刷手段として機能するプリンタ２０との要部を示すブロック図である。
【００１５】
図１を参照して、コンピュータ１０は、コンピュータ１０全体を制御するためのＣＰＵ１１と、ＣＰＵ１１に接続され、ＯＳ等を格納するＲＯＭと、プログラムやデータを一時的に格納するＲＡＭ１３と、キーボードやマウスのような入力装置１４と、ハードディスク（ＨＤＤ）１５と、ディスプレイ１６と、光ディスクのような記録媒体を駆動するためのディスクドライブ１７と、外部に設けられたプリンタ２０を制御するためのプリンタ制御部１８とを含む。
【００１６】
プリンタ２０は、プリンタ２０全体を制御するためのＣＰＵ２１と、ＣＰＵ２１に接続され、プリンタを駆動するプログラムを格納するＲＯＭ２２と、印刷データ等を格納するＲＡＭ２３と、プリンタ制御部１８からの印刷データを受ける入力部２４と、操作部２５と、印刷手段として機能する印刷部２６とを含む。印刷部２６は、感光体と感光体上に静電潜像を形成するレーザ光源とを含み、感光体とレーザ光源等は静電潜像形成手段として機能する。
【００１７】
この実施の形態においては、ユーザはコンピュータ１０において、地紋印刷を設定し、それをプリンタ２０へ出力して、プリンタ２０で地紋付きの印刷を行う。
【００１８】
次に、地紋印刷を行う場合の動作について説明する。図２は、コンピュータ１０のディスプレイ１６に表示された地紋印刷を設定する場合の画面表示例である。図２（Ａ）を参照して、地紋印刷を設定する場合の設定画面３０には、潜像地紋（文字地紋）となる、セキュリティウオータマークを設定するための名称を記入するための、セキュリティウオータマーク名欄３１と、コピー時に表示されるテキストを設定するための３つのテキスト入力欄テキスト１〜テキスト３と、表示されるテキストの、フォント、スタイル、サイズ、角度および色等を設定する属性設定部３４と、以上のようにして設定された背景地紋と潜像地紋とのプレビューを表示する表示部３２とを含む。設定画面はさらに、ユーザが所望の背景地紋と潜像地紋の濃度を設定する濃度設定部３５と、設定可能な背景地紋を表示する背景パターン表示部３６と、設定等に対するユーザの確認を指示するための、ＯＫボタン３８と、後に説明する、コントラスト調整を行うための、コントラスト調整手段として機能する、「コントラスト調整ボタン」４０とを含む。「コントラスト調整ボタン」４０を押し下げた場合の処理については、後述する。
【００１９】
次に、このようにして設定される背景地紋と潜像地紋とのコントラストについて説明する。背景地紋と潜像地紋とのコントラストは、キャリブレーションシートで表示される。図３は、プリンタ２０で印刷したキャリブレーションシート５０を示す図である。図３を参照して、キャリブレーションシート５０は、背景地紋５１の上に上記のようにして設定された潜像地紋５２を複数印刷したシートであり、縦横それぞれ３個の９個の潜像地紋（ここでは「ＣＯＰＹ」という文字）５２を含む。この９個の潜像地紋は、それぞれのコントラストが異なり、潜像地紋の濃度が順に高くなっている。この例では、キャリブレーションシート５０の左上から右下に順にコントラスト１からコントラスト９の番号が振られている（図中では、Ｃ１〜Ｃ９で示す）。ドット面積率が同じであれば、マクロに見れば濃度が均一に見えるはずである。しかしながら、地紋作成に用いられる大ドットと小ドットの再現が異なるため、濃度調整（キャリブレーション）を行って、印刷時には、小ドット地紋の濃度と大ドット地紋の濃度がほぼ同じになるようにする。そのために、キャリブレーションシート５０を出力して小ドット地紋と大ドット地紋のコントラスト調整を行う。
【００２０】
キャリブレーションシート５０を用いて、この濃度調整を行うときは、潜像地紋が印刷時に見えないように、適正なコントラスト調整を行なう。この実施の形態においては、濃度設定部３５で設定された濃度におけるコントラストが、キャリブレーションシート５０の中央のコントラスト５になるよう予め設定されている。
【００２１】
次に、この実施の形態における、動作を説明する。図４は、ＣＰＵ１１の動作を示すフローチャートである。図２および図４を参照して、この場合の処理について説明する。ユーザは、まず、潜像地紋となる、セキュリティテキストを設定する（図４，ステップＳ１１、以下ステップを省略する）。具体的には、セキュリティウオータマーク名欄３１に名称を入力するとともに、所望の隠し文字地紋をテキスト１〜テキスト３で設定し、テキストの属性を設定する。これらの設定を行うと、その設定内容は、表示部３２に表示される。ここでは、セキュリティウオータマーク名は、デフォルトの「名称未設定」となっており、テキスト１として「ユーザ定義」による「コピー禁止」という文字と、図示のような表示文字の属性３４が設定されている。このとき、濃度設定部３５を用いて濃度も設定する。
【００２２】
次に、背景地紋を背景パターン表示部３６に表示する（Ｓ１２）。ユーザはここに表示された背景地紋の中から、図示のない、マウス等の入力装置を用いて、所望のものを選択する（Ｓ１３）。ユーザが所望の地紋濃度範囲を設定すると、（Ｓ１３でＹＥＳ）、設定された潜像地紋、および、選択された背景地紋からなる設定内容がプレビューとして表示部３２に表示される（Ｓ１４）。これを見てユーザがＯＫであると判断すると、ＯＫボタン３８を押すため（Ｓ１５でＹＥＳ）、ＣＰＵ１１は、プリンタへの印刷指示を行う（Ｓ１６）。その結果、ユーザは所望の地紋パターンを有する印刷物を得ることができる。
【００２３】
ユーザがこのように所望の背景地紋と潜像地紋とのコントラストを調整しても、その結果が、ユーザの所望の設定にならない場合がある。次にこの場合について説明する。図５は、このようになる原因を説明するための図である。図５（Ａ）は感光体６１と、感光体６１に静電潜像を形成するためのレーザ光源６２との関係を示す図であり、レーザ光源６２は、図５（Ａ）において図中矢印Ｘで示す主走査方向に感光体６１上を走査する。図５（Ｂ）はレーザ光で照射されたときの、感光体６１上のレーザ光のオン部分とオフ部分に対応する、正常時の電位を示す図である。図５（Ｂ）において、主走査方向の寸法は、図５（Ａ）における主走査方向の寸法に対応している。図５（Ｃ）は、この場合に、感光体５１の主走査方向にキャリブレーションシートの画像を形成し、それをプリンタで印刷した、上記したキャリブレーションシート５０を示す図である。ここでも、主走査方向の寸法は、図５（Ａ）における主走査方向の寸法に対応している。
【００２４】
図５（Ｂ）および（Ｃ）に示すように、正常な場合は、印刷されたキャリブレーションシート５０においては、図３で説明したように、背景地紋５１と潜像地紋５２とは図５（Ｃ）において、左上から右下に向かって順に、静電地紋の濃度が順に濃くなるように印刷され、中央においてちょうど見えないように設定される。
【００２５】
一方、図５（Ｄ）は、レーザ光で照射されたときの、感光体６１上のレーザ光のオン部分とオフ部分に対応する、感光体６１が劣化した時の電位を示す図である。図５（Ａ）に示すように、レーザ光源６２は、読み取られたデータに応じて、レーザ光をオン、オフして、感光体６１上を所定の電位にして、静電潜像を形成する。このとき、正常であれば、図５（Ｂ）に示ように、オン、オフに応じた電位Ｖ１が感光体上得られるため、所定のコントラストを有する画像が得られる。
【００２６】
しかしながら、感光体５１やレーザ光源が劣化等してくると、図５（Ｄ）に示すように、オン、オフに応じた電位が得られなくなる。特に、背景技術で述べたように、レーザ光源５２の位置から離れた端部において、所望の電位が得られず、地紋パターンにおいて所望の濃度が得られなくなる場合がある。この場合は、背景地紋に対して静電地紋の適切なコントラストが得られない。
【００２７】
そこで、この実施の形態においては、このコントラストを感光体６１の主走査方向の任意の位置で調整できるようにした。この場合のＣＰＵ１１が行う処理を示すフローチャートを図６に示し、具体的な処理方法を図７に示す。図６および図７を参照して、この場合の処理を説明する。
【００２８】
ユーザが図４のＳ１６で印刷した地紋パターンを参照して、そのコントラスト（または背景地紋および潜像地紋の濃度）がずれていると判断したときは、図２のコントラスト調整ボタン４０を押す（図６、Ｓ２１）。すると、図２（Ｂ）に示すコントラスト調整画面が表示される。コントラスト調整画面は、コントラストを調整する主走査方向の位置を特定する調整位置設定部４１と、背景地紋の濃度を設定する、背景地紋閾値調整部４２と、テキスト地紋（潜像地紋）の濃度を設定する、テキスト地紋閾値設定部４３と、キャリブレーションシート５０をプリンタに印刷させる指示を行うサンプル印字ボタン４４と、ユーザが設定内容を認証するＯＫボタン４５と、キャンセルボタン４６とを含む。
【００２９】
調整位置設定部４１は、主走査方向の「左」、「中央」および「右」のいずれかを選択可能である。背景地紋閾値調整部４２は、調整位置設定部４１で設定された部分の濃淡（以下では、潜像地紋の濃度と区別するために、背景地紋の濃度のことを濃淡という）の設定閾値を変更する。ここでは、薄い、普通、濃いの３つの閾値を選択できる。すなわち、所望の濃度になるよう、この閾値を変更する。テキスト地紋閾値設定部４３も同様である。
【００３０】
ユーザがプリンタによる印刷物を見て、たとえば、中央部のコントラストが変であると判断したときは（Ｓ２２で中央）、その位置を調整位置設定部４１で設定し、その部分の濃度を背景地紋閾値調整部４２、または、テキスト地紋閾値設定部４３を用いて変更する（Ｓ２２〜Ｓ２６）。そして、必要に応じてサンプル印字ボタン４４を押して、コントラスト調整用のキャリブレーションシート５０を印刷する（Ｓ２７）。
【００３１】
図７は、中央部のコントラストを調整する方法を示す図である。図６のＳ２７においてユーザがサンプル印字を指示すると、図７に示すコントラスト調整用のキャリブレーションシート５６が印刷される。このシート５６は、調整位置設定部４１で設定された部分について、背景地紋閾値調整部４２、または、テキスト地紋閾値設定部４３を用いて変更された３つの濃度によるコントラストが表示される。図７に示した例では、背景地紋の濃淡については変更がなく、潜像地紋についての濃度が変更されている。なお、図においては、「ＣＯＰＹ」の文字が各列について９個表示されているが、これは、上から順に図３に示したＣ１〜Ｃ９に対応する。すなわち、ここでは、コントラスト１からコントラスト９の全てについて表示されているが、これに限らず、特定のコントラストのみについて表示されてもよい。
【００３２】
なお、このように、複数のコントラストについての調整、すなわち、副走査方向のコントラストの調整が可能なのは、図５（Ａ）に示すように、感光体６１上の点Ｙの位置を予め定めておき、この点を基準に濃淡または濃度を検出することによって可能になる。
【００３３】
コントラスト調整用のキャリブレーションシート５６で確認してＯＫであれば（Ｓ２８でＹＥＳ）、その設定をプリンタ制御部１８のプリンタドライバに行い（Ｓ２９）、処理を終了する。ＯＫでなければ、Ｓ２１へ戻る。
【００３４】
以上のように、この実施の形態によれば、プリンタによってシート上に印刷された背景地紋と潜像地紋とのコントラストを、主走査方向の任意の位置において調整できるため、感光体の主走査方向における濃度ムラが存在しても所望の背景地紋と潜像地紋とを印刷できる。その結果、感光体ドラム上での濃度ムラに対処できる、地紋印刷が可能な画像処理装置を提供できる。
【００３５】
なお、上記実施の形態においては、コンピュータとプリンタとからなる画像処理装置にこの発明を適用した例について説明したが、これに限らず、通常のコピー機や、デジタル複合機にこの発明を適用してもよい。
【００３６】
上記実施の形態においては、背景地紋のパターンをリストボックスに表示する場合について説明したが、これに限らず、ラジオボタンや他の方法で表示してもよい。
【００３７】
また、上記実施の形態においては、プリンタに接続されたコンピュータを上記実施の形態を実行する専用機として用いた場合について説明したが、これに限らず、図４および図５に示したフローチャートを汎用コンピュータに実行させるプリンタドライバプログラムとしてもよい。また、この場合、このプログラムは、光ディスクのようなコンピュータ読取可能記録媒体に格納してもよい。
【００３８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３９】
【図１】この発明の一実施の形態に係る画像処理装置の要部を示すブロック図である。
【図２】コンピュータのディスプレイに表示された地紋印刷の設定画面を示す図である。
【図３】キャリブレーションシートを示す図である。
【図４】コンピュータのＣＰＵが行う動作を示すフローチャートである。
【図５】所望の背景地紋と潜像地紋とのコントラストを調整しても、その結果が、ユーザの所望の設定とおりにならない場合を説明するための図である。
【図６】コントラスト調整処理においてＣＰＵが行う動作を示すフローチャートである。
【図７】コントラスト調整用のキャリブレーションシートを示す図である。
【符号の説明】
【００４０】
１０  コンピュータ、  １１，  ２１  ＣＰＵ、  １２，  ２２  ＲＯＭ、  １３，  ２３  ＲＡＭ、１４  入力装置、１５  ハードディスク、  １６  ディスプレイ、  １７  ディスクドライブ、  １８  プリンタ制御部、  ２０  プリンタ、  ２４  入力部、  ２５  操作部、  ２６  印刷部、２８  ケーブル、５０  キャリブレーションシート、５１背景地紋、５２潜像地紋、６１  感光体、６２  レーザ光源。
【図１】
2007267224.tif 000003
【図２】
2007267224.tif 000004
【図３】
2007267224.tif 000005
【図４】
2007267224.tif 000006
【図５】
2007267224.tif 000007
【図６】
2007267224.tif 000008
【図７】
2007267224.tif 000009